(57)【要約】  裾部分の着くずれを効果的に防止することができるボトム衣類を提供する。  本発明のボトム衣類は、前身頃（１０１）、後身頃（１０２）および介在布部材（１０３）を含むボトム衣類であって、介在布部材（１０３）は、マチ部（１０３Ａ）と、マチ部の後端部から左右に伸びた状態で形成された後裾周り形成部（１０３Ｂ）とを含み、マチ部（１０３Ａ）の前端部が、前身頃（１０１）と連結しており、前身頃の後側幅方向両側外周部（ａ）と、マチ部の幅方向両側外周部（ｂ）と、後裾周り形成部の左右の前側の外周部（ｃ）とにより、着用時における裾周りが形成され、後裾周り形成部（１０３Ｂ）において、前記着用時の裾周りの形成に寄与する左右の前側の外周部（ｃ）の形状が、凹曲線または直線であり、後裾周り形成部の左右の後側の外周部Ｓが、後身頃（１０２）と連結していることを特徴とする。
2013168636.tif 000002
【特許請求の範囲】
【請求項１】
前身頃、後身頃および介在布部材を含むボトム衣類であって、
前記介在布部材は、マチ部と、前記マチ部の後端部から左右に伸びた状態で形成された後裾周り形成部とを含み、
前記マチ部の前端部が、前記前身頃と連結しており、
前記前身頃の後側幅方向両側外周部と、前記マチ部の幅方向両側外周部と、前記後裾周り形成部の左右の前側の外周部とにより、着用時における裾周りが形成され、
前記後裾周り形成部において、前記着用時の裾周りの形成に寄与する前記左右の前側の外周部の形状が、凹曲線または直線であり、
前記後裾周り形成部の左右の後側の外周部が、前記後身頃と連結していることを特徴とする、ボトム衣類。
【請求項２】
前記前身頃と前記介在布部材とが、一体で形成されていることを特徴とする、請求項１記載のボトム衣類。
【請求項３】
前記マチ部と前記後裾周り形成部とが連結した状態のパターンの図とした場合に、下記（Ａ）および（Ｂ）のいずれか一方の条件を満たすことを特徴とする、請求項１または２記載のボトム衣類。
（Ａ）前記後裾周り形成部の左右の前側の外周部の形状が凹曲線である場合、
下記第１の線を基準（０度）とした場合に、
下記第１の線よりも後側を正の角度、下記第１の線よりも前側を負の角度とし、
下記第１の線と下記第２の線とがなす角度が３０度以下である。
第１の線：前記後裾周り形成部の前記外周部の最も後側に位置する点を通る後中心線に対する垂線
第２の線：前記第１の線と後中心線との交点と、前記後裾周り形成部の前側端点とを結ぶ線
（Ｂ）前記後裾周り形成部の左右の前側の外周部の形状が直線である場合、
下記第１の線を基準（０度）とした場合に、
下記第１の線よりも後側を正の角度、下記第１の線よりも前側を負の角度とし、
下記第１の線と下記第２の線とがなす角度が３０度以下である。
第１の線：後中心線に対する垂線
第２の線：前記後裾周り形成部の左右の前側の外周部の直線の延長線
【請求項４】
さらに、側部形成部を有し、
前記側部形成部は、前記後裾周り形成部と前記後身頃との間に配置されることを特徴とする、請求項１から３のいずれか一項に記載のボトム衣類。
【請求項５】
パターンの図において、
前記後裾周り形成部よりも後側に、対向する縁部同士を固着することで肌側と反対側に膨らんだ立体形状を形成するための立体形状形成部を複数有することを特徴とする、請求項１から４のいずれか一項に記載のボトム衣類。
【請求項６】
着用時における裾周りに該当する箇所に、レース部材を有することを特徴とする、請求項１から５のいずれか一項に記載のボトム衣類。
【請求項７】
パターンの図において、
前記前身頃の後側幅方向両側外周部の前側端点周辺部と、前記後裾周り形成部の前側端点周辺部とに、それぞれ、ダーツ部が設けられていることを特徴とする請求項１から６のいずれか一項に記載のボトム衣類。
【請求項８】
パターンの図において、
前記前身頃の後側幅方向両側外周部の前側端点と、前記後裾周り形成部の前側端点とが、なだらかな角部となっていることを特徴とする請求項１から６のいずれか一項に記載のボトム衣類。
【発明の詳細な説明】
【技術分野】
【０００１】
本発明は、ボトム衣類に関する。
【背景技術】
【０００２】
従来、ショーツ等のボトム衣類には、裾のずり上がり、食い込みおよびめくれ等の、裾部分の着くずれが生じやすいという問題があった。ショーツ等の裾がずり上がったり、食い込んだりすると、着用者に不快感を与え、また、ヒップラインのシルエットが悪くなる。【０００３】
ショーツの裾の食い込みを防止するための技術として、前身頃部と後身頃部と、前身頃部及び後身頃部との間に配備される略馬蹄形状の介在布部材とからなるパンティにおいて、介在布部材は、所定間隔を開いた側面襠用広幅部と、この両側側面襠用広幅部を下部で連続させる包み込み用細幅部とを有し、この介在布部材によって、パンティ全体が尻形態に合致するよう形成する技術が提案されている（特許文献１参照）。
【先行技術文献】
【特許文献】
【０００４】
【特許文献１】実開平６−５４７０４号公報
【発明の概要】
【発明が解決しようとする課題】
【０００５】
しかし、前記技術では、着用して動いているうちに裾がずり上がってきてしまい、裾部分の着くずれを防止するには不十分であった。【０００６】
そこで、本発明は、裾部分の着くずれを効果的に防止することができるボトム衣類を提供することを目的とする。
【課題を解決するための手段】
【０００７】
前記目的を達成するために、本発明のボトム衣類は、
前身頃、後身頃および介在布部材を含むボトム衣類であって、
前記介在布部材は、マチ部と、前記マチ部の後端部から左右に伸びた状態で形成された後裾周り形成部とを含み、
前記マチ部の前端部が、前記前身頃と連結しており、
前記前身頃の後側幅方向両側外周部と、前記マチ部の幅方向両側外周部と、前記後裾周り形成部の左右の前側の外周部とにより、着用時における裾周りが形成され、
前記後裾周り形成部において、前記着用時の裾周りの形成に寄与する前記左右の前側の外周部の形状が、凹曲線または直線であり、
前記後裾周り形成部の左右の後側の外周部が、前記後身頃と連結していることを特徴とする。
【発明の効果】
【０００８】
本発明によれば、裾部分の着くずれを効果的に防止することができるボトム衣類を提供することができる。
【図面の簡単な説明】
【０００９】
【図１】図１は、本発明の第１の実施形態に係るショーツ１００のパターンを示す図である。
【図２】図２（ａ）は、前記第１の実施形態に係るショーツ１００の斜視図、図２（ｂ）は、背面斜視図、図２（ｃ）は、ショーツ１００を下方から見た図である。
【図３】図３は、本発明の第２の実施形態に係るショーツ２００のパターンを示す図である。
【図４】図４（ａ）および図４（ｂ）は、本発明の第３の実施形態に係るショーツ３００のパターンを示す図である。
【図５】図５は、本発明の第４の実施形態に係るショーツ４００のパターンを示す図である。
【図６】図６は、本発明の第５の実施形態に係るショーツ５００のパターンを示す図である。
【図７】図７（ａ）〜（ｃ）は、本発明の第６の実施形態に係るショーツ６００のパターンを示す図である。
【図８】図８（ａ）および図８（ｂ）は、前記第６の実施形態の変形例であるショーツ７００のパターンを示す図である。
【図９】図９（ａ）は、本発明の第７の実施形態に係るショーツ８００のパターンを示す図である。図９（ｂ）は、前記第７の実施形態の変形例であるショーツ９００のパターンを示す図である。
【図１０】図１０（ａ）および図１０（ｂ）は、本発明の第８の実施形態に係るショーツ１０００のパターンを示す図である。
【図１１】図１１は、本発明の第９の実施形態に係るショーツ１１００のパターンを示す図である。
【図１２】図１２（ａ）は、本発明の第１０の実施形態に係るショーツ１２００のパターンを示す図、図１２（ｂ）は、前記ショーツ１２００の正面図である。
【図１３】図１３は、前記第１の本実施形態に係るショーツのパターンと、従来のずり上がり防止のためのショーツのパターンとを比較する図である。図１３（ａ）は、前記第１の実施形態に係るショーツ、図１３（ｂ）は、従来のショーツを示す。
【図１４】図１４は、前記第１の実施形態に係るショーツの着用状態と、従来のずり上がり防止のためのショーツの着用状態とを比較する図である。図１４（ａ）は、前記第１の実施形態に係るショーツ、図１４（ｂ）は、従来のショーツを示す。
【発明を実施するための形態】
【００１０】
本発明のボトム衣類について、例をあげて説明する。ただし、本発明は、以下の例に限定および制限されない。
【００１１】
（第１の実施形態）
図１に、本発明の第１の実施形態に係るショーツ１００のパターンの図を示す。本実施形態のショーツ１００は、前身頃１０１、後身頃１０２および介在布部材１０３を含むショーツである。介在布部材１０３は、マチ部１０３Ａと、マチ部１０３Ａの後端部から左右に伸びた状態で形成された後裾周り形成部１０３Ｂとを含む。ここで、「前」「後」とは、前身頃側を前、後身頃側を後とした場合の前後方向をいう。また、「左」「右」とは、前側から見た左右でも、後側から見た左右でもよい。本実施形態は、着用感をよりよくするため、マチ部１０３Ａの肌側に配置される裏マチ部１０４を含むが、本発明において、裏マチ部１０４は必須の構成要素ではない。マチ部１０３Ａの前端部は、前身頃１０１と連結され、後裾周り形成部の左右の後側の外周部Ｓが、後身頃１０２の辺Ｔと連結される。前記外周部Ｓと前記辺Ｔとは、後中心線周辺を除くほぼ全域にわたって、互いに凸状となるようにカーブしている。このように、互いに対向する、凸状となるもの同士の縁部同士を固着することによって形成された立体形状形成部によって、肌側と反対側へ立体的な膨らみを持たせている。なお、本実施形態では、前身頃１０１、マチ部１０３Ａおよび後裾周り形成部１０３Ｂは、一体で形成されているが、本発明はこれに限られず、それぞれ別部材で構成されていてもよい。
【００１２】
本実施形態において、後裾周り形成部１０３Ｂの左右端部に位置する前身頃１０１との固着部Ｌと、前身頃１０１の前側幅方向両側辺Ｍとが固着される。これにより、前身頃１０１の後側幅方向両側外周部（ａ）と、マチ部１０３Ａの幅方向両側外周部（ｂ）と、後裾周り形成部１０３Ｂの左右の前側の外周部（ｃ）とにより、着用時における裾周りが形成される。本実施形態では、後裾周り形成部１０３Ｂにおいて、前側外周部（ｃ）の形状が、凹曲線となっている。
【００１３】
図１に示すパターンを互いに固着すると、図２に示す本実施形態に係るショーツ１００が形成される。図２（ａ）は、斜視図、図２（ｂ）は、背面斜視図、図２（ｃ）は、ショーツ１００を下方から見た図である。
【００１４】
図１３に、本実施形態のショーツ１００のパターンと、従来のずり上がり防止のためのショーツのパターンとを比較する図を示す。図１３（ａ）は、本実施形態のショーツ１００、図１３（ｂ）は、従来のショーツを示す。
【００１５】
図１３（ｂ）に示すように、従来のずり上がり防止のためのショーツのパターンでは、本実施形態における後裾周り形成部１０３Ｂに該当する部分１０３Ｂ’の左右端部が、マチ部１０３Ａ’と反対の方向に向かって配置されており、マチ部１０３Ａ’と後裾周り形成部１０３Ｂ’とは、略馬蹄形状となっている。そして、前身頃との固着箇所Ｌ’は、マチ部の長さ方向に対して略平行に配置されている。また、前記従来のショーツのパターンでは、本実施形態における前記外周部（ｃ）に該当する部分Ｎ’が、凸部を有している。すなわち、足の付け根付近の臀溝部のラインに該当する箇所Ｒが、凸部となっている。これは、ずり上がりを防止するためには、皮膚の伸長率が最も大きい、足の付け根付近の臀溝部のラインを凸形状にして、ヒップから足の付け根部分を広い範囲で包み込むのがよいとされてきたためである。しかし、この態様では、着用直後は前記臀溝部のラインをショーツが包み込んでいるが、動くうちに裾がずり上がってくるのを十分に防ぐことができない。
【００１６】
これに対し、図１３（ａ）に示すように、本実施形態のショーツ１００のパターンでは、後裾周り形成部１０３Ｂは、マチ部１０３Ａの後端部から左右方向に伸びて形成されている。すなわち、後裾周り形成部１０３Ｂは、マチ部１０３Ａの後端部に、逆Ｔ字状に形成されている。そして、後裾周り形成部１０３Ｂの左右端部は、マチ部１０３Ａの方向に向かって配置されている。また、本実施形態のパターンでは、前記外周部（ｃ）は、凸部のない曲線で形成されており、前記外周部（ｃ）上には突出している箇所がない。このようなパターンにすることにより、従来のショーツより着用者の臀部の形に近い立体を構成することができるため、本実施形態に係るショーツ１００を着用すると、着用者の足の付け根部分にショーツがしっかりフィットし、ずれ上がりを防止することができる。本実施形態では、後裾周り形成部１０３Ｂは、マチ部１０３Ａの後端部から左右方向に伸びて形成され、後裾周り形成部１０３Ｂの左右端部に位置する前身頃１０１との固着部Ｌは、マチ部１０３Ａの長さ方向（図１３（ａ）に示す白抜き矢印の方向）に対して直交するように配置されている。ただし、本発明において、前記固着部Ｌは、後述のように、マチ部の長さ方向に対して斜めになっていてもよい。
【００１７】
図１４に、本実施形態のショーツ１００の着用状態と、従来のずり上がり防止のためのショーツの着用状態とを比較する写真を示す。図１４（ａ）は、本実施形態のショーツ１００、図１４（ｂ）は、従来のショーツを示し、各図において、上段は、横から見た写真、下段は、後ろから見た写真である。
【００１８】
前記各ショーツには、生地の伸縮状態がわかるようにするため、１マスの各辺が約１．５ｃｍの格子を描いている。この格子は、各部材同士を固着する前の段階で（図１３に示す状態）、各部材に水平な縦線および横線を引いて描いたものである。
【００１９】
まず、上段の写真を比較すると、従来のショーツ（図１４（ｂ））では、ショーツ側部の格子が斜めになっているのに対し、本実施形態のショーツ１００（図１４（ａ））では、水平である。このように、本実施形態に係るショーツ１００と従来のショーツとでは、各部材を組み立てる際の後裾周り形成部の固着のされ方が異なることがわかる。本実施形態のショーツ１００では、後裾周り形成部１０３Ｂが、後ろから前に向けて、裾周りをラップするように形成されている。また、従来のショーツでは、側面において、裾周り付近の格子（写真中に矢印で示す部分）と、その他の部分の格子とでは、大きさが異ならないのに対し、本実施形態のショーツ１００では、裾周り付近の格子が、その他の部分の格子と比べて伸びている。このように、本実施形態のショーツ１００では、裾周りにショーツがしっかりとフィットしている。さらに、上段の両写真において、比較のために白丸が同じ位置に付されているのであるが、従来のショーツでは、最も後側の白丸は全てショーツから出ているのに対し、本実施形態のショーツ１００では、最も後側の白丸もショーツに覆われている。これにより、本実施形態のショーツ１００の方が、従来のショーツよりも、裾部分によって臀溝部付近の脚の付け根部分をしっかり覆っていることがわかる。
【００２０】
次に、下段の写真を比較すると、従来のショーツでは、ヒップトップ周辺（図１４におけるＱで示す部分）の格子が伸びており、ヒップトップへの密着性が高いことがわかる。すなわち、平面的な生地が着用者の臀部の形状にあわせようとしてテンションがかかっていることがわかる。このため、従来のショーツは、引っ張られた生地が元にもどろうとする力が働く上、着用して動くことによりヒップトップ側に生地が引き寄せられ、裾のずり上がりの原因となる。これに対し、本実施形態のショーツ１００では、ヒップトップ周辺とその他の部分とで、格子の大きさは変わらない。すなわち、本実施形態のショーツ１００は、より着用者の臀部の形状に近い立体的な形状となっているため、ヒップトップ周辺の生地に無駄なテンションが作用していないことが分かる。このため、本実施形態のショーツ１００では、動いてもヒップトップ側に生地が引き寄せられることなく、裾のずり上がりを防ぐことができる。
【００２１】
本実施形態において、ショーツ１００の前記各部材に使用できる生地は、特に制限されないが、例えば、織物、編み物、不織布があげられる。さらに好ましくは、ポリウレタン等の弾性糸を含有する伸縮性を有する生地があげられる。
【００２２】
本実施形態において、後裾周り形成部１０３Ｂは、図１３（ａ）のパターン内に記載の黒字矢印で示す方向に伸縮することが好ましい。これにより、着用した際、臀溝部付近の生地は、上下方向に、体の側面における裾周りでは前後方向に伸縮するため、着用者の動きによる皮膚の伸びに追従することができる。なお、後裾周り形成部１０３Ｂは、上記黒字矢印で示す方向と直交する方向については、伸び難くてもよいし、伸び易いものとしてもよい。
【００２３】
本実施形態において、前身頃１０１、後身頃１０２および介在布部材１０３の各部材は、左右一体で形成されているが、本発明はこれに限られず、左右が別部材で構成されていてもよい。ただし、左右一体で形成することにより、左右の部材を接ぎ合わせる場合と比較して身体へのフィット性が高くなり、肌触りもなめらかになるため、好ましい。
【００２４】
本実施形態において、介在布部材１０３は、前身頃１０１とともに一体で形成されているが、本発明はこれに限られず、前身頃と介在布部材とが別部材であってもよく、また、介在布部材におけるマチ部と後裾周り形成部とが、別部材で形成されていてもよい。
【００２５】
本実施形態では、裾周りが短いタイプのショーツについて説明したが、本発明はこれに限られず、裾周りにさらに大腿部を覆う部材を配置したロングタイプのショーツにも適用できる。
【００２６】
（第２の実施形態）
図３に、本発明の第２の実施形態に係るショーツ２００のパターンの図を示す。本実施形態のショーツ２００は、前身頃２０１、後身頃２０２および介在布部材２０３を含む。介在布部材２０３は、マチ部２０３Ａと、後裾周り形成部２０３Ｂとを含む。また、マチ部２０３Ａの肌側に配置される裏マチ部２０４を含む。
【００２７】
本実施形態は、前身頃２０１の上辺Ｐ、および、後身頃２０２の上辺Ｗが、ウエストの高い位置にくるよう設計されているショーツである。ここで、「上辺」とは、着用時におけるウエストに該当する箇所をいう。その他は、第１の実施形態と同様である。前身頃２０１の上辺Ｐおよび後身頃２０２の上辺Ｗの高さは、特に制限されず、デザインに応じて設定することができる。このように、本発明は、ウエストの高い位置にくるよう設計されているショーツにも好適に適用でき、着用感やデザインのバリエーションを広げることができる。
【００２８】
（第３の実施形態）
図４（ａ）に、本発明の第３の実施形態に係るショーツ３００のパターンの図を示す。本実施形態のショーツ３００は、前身頃３０１、後身頃３０２および介在布部材３０３を含む。介在布部材３０３は、マチ部３０３Ａと、後裾周り形成部３０３Ｂとを含む。
【００２９】
本実施形態のパターンでは、前身頃３０１と介在布部材３０３とが、別部材で構成されている。また、本実施形態のパターンでは、後裾周り形成部３０３Ｂの左右端部に位置する前身頃３０１との固着部Ｌは、マチ部３０３Ａの長さ方向に対して、斜めに配置されている。このように、本発明において、前記固着部Ｌの位置は、デザインに応じて決定することができる。なお、本実施形態では、第２の実施形態の後裾周り形成部３０３Ｂの固着部Ｌが、マチ部３０３Ａの長さ方向に対して斜めに配置されている態様について説明したが、本発明はこれに限られず、他の実施形態の後裾周り形成部の左右端部が同様の形態であってもよい。
【００３０】
図４（ｂ）に、前身頃３０１と介在布部材３０３とを連結した状態のパターンの図を示す。図４（ｂ）に示すように、パターン図として水平に配置した場合において、後裾周り形成部３０３Ｂの左右の前側外周部（ｃ）の最も後側に位置する点Ｘを通る後中心線Ｈに対する垂線を第１の線Ｊとし、第１の線Ｊと後中心線Ｈとの交点Ｙと、後裾周り形成部３０３Ｂの前側端点Ｚとを結ぶ線を第２の線Ｋとする。本実施形態において、前記「最も後側に位置する点」とは、前記外周部（ｃ）のうち最も後身頃側に位置する点をいう。そして、第１の線Ｊを基準（０度）として、第１の線Ｊから後側（図中の矢印αの方向）を正の角度、第１の線Ｊから前側（図中の矢印βの方向）を負の角度とした場合、第１の線Ｊと第２の線Ｋとがなす角度θは、３０度以下であることが好ましい。この場合には、後裾周り形成部３０３Ｂの裾部の着崩れを抑制することができる。さらに、角度θを２５度以下となるように設定することがより好ましい。この場合には、後裾周り形成部３０３Ｂの臀部に対する密着性が高まるため上記の着崩れをさらに軽減することができる。また、さらに好ましくは、上記の角度θを２０度以下に設定することによって、後裾周り形成部３０３Ｂの裾部分の着崩れを防止する効果をさらに高めることができる。ここで、従来のショーツの場合、前述のとおり、マチ部と裾周り形成部とは略馬蹄形状となっており、従来のショーツのパターン図を上記の説明にあてはめると、前記角度θに該当する箇所の角度は、３５度以上設けられていることが発明者らの研究により判明している。
【００３１】
また、上記の角度θは、−（マイナス）側には−１５度以上となるように設定することが好ましい。ここで、角度θがマイナス側の値をとるように設定すると、プラス側の値をとる場合よりも後裾周り形成部３０３Ｂの臀部に対する密着性を高めることができる。一方で、後裾周り形成部３０３Ｂが臀部に食い込み易くなる場合には、角度θが−１０度以上となるように設定することがより好適である。この場合には、後裾周り形成部３０３Ｂの臀部に対する密着性を高めつつ、臀部への食い込みを抑制することができる。なお、本実施形態では、角度θは−１０度に設定されている。
【００３２】
上記のように角度θを設定することにより、後裾周り形成部がマチ部の後端部から左右方向に伸び、前述のとおり、従来のショーツより着用者の臀部の形に近い立体を構成するパターンにすることができるため、好ましい。なお、前記第１の実施形態および前記第２の実施形態においても、角度θに該当する角度はマイナスの値となっているため、３０度以下である。
【００３３】
また、上記の「第１の線Ｊと第２の線Ｋとがなす角度θを−１５度以上に設定する」とは、角度θを絶対値として表記すると、端点Ｚが第１の線Ｊのβ方向側に設けられていることを前提として、「第１の線Ｊと第２の線Ｋとがなす角度θが１５度以下となるように設定される」とも表現することができる。
【００３４】
本実施形態において、後裾周り形成部３０３Ｂの前側端点Ｚと、前身頃３０１の後側幅方向両側外周部（ａ）の前側端点Ｅとの距離γは、標準的なサイズである場合には、約１８ｃｍである。また、標準的なサイズにおいて、前記角度θが３０度の場合は、前記距離γは約３２ｃｍ、前記角度θが２５度の場合は、前記距離γは約２９．５ｃｍ、前記角度θが２０度の時は、前記距離γは、約２６．５ｃｍである。ただし、前記角度θと前記距離γとの対応は、上記に限られず、例えば、サイズによって異なる。
【００３５】
（第４の実施形態）
図５に、本発明の第４の実施形態に係るショーツ４００のパターンの図を示す。本実施形態のショーツ４００は、前身頃４０１、後身頃４０２および介在布部材４０３を含む。介在布部材４０３は、マチ部４０３Ａと、後裾周り形成部４０３Ｂとを含む。また、マチ部４０３Ａの肌側に配置される裏マチ部４０４を含む。
【００３６】
図５に示すように、本実施形態では、前身頃４０１とマチ部４０３Ａとが一体となっており、組み立て前においては、介在布部材４０３は、マチ部４０３Ａと後裾周り形成部４０３Ｂとに分離している。その他は、前記第１の実施形態と同様である。
【００３７】
このように、本発明において、各部材の態様は、設計上または固着工程上の作業効率等を考慮し、実現したい態様に応じて自由に設定することができる。
【００３８】
（第５の実施形態）
図６に、本発明の第５の実施形態に係るショーツ５００のパターンの図を示す。図６は、マチ部４０３Ａの後端部に後裾周り形成部４０３Ｂが固着された状態の図であり、本実施形態では、前身頃４０１の後側幅方向両側外周部（ａ）、マチ部４０３Ａの幅方向両側外周部（ｂ）および後裾周り形成部４０３Ｂの左右の前側の外周部（ｃ）にかけて、レース部材５０５が配置されている。その他は、前記第４の実施形態と同様である。
【００３９】
本実施形態によれば、着用時における裾周りの部分に、レースやテープ等を施すことができる。また、本実施形態は、さらに、前身頃４０１の上辺および後身頃４０２の上辺にも、レース部材が配置されていてもよい。このように、本発明は、デザインに応じて、装飾を施すことができる。なお、本実施形態では、前記第４の実施形態の裾周りにレース部材が配置されている態様を説明したが、本発明はこれに限られず、他の実施形態がレース部材を有していてもよい。
【００４０】
（第６の実施形態）
図７（ａ）に、本発明の第６の実施形態に係るショーツ６００のパターンの図を示す。また、図７（ｂ）に、本実施形態の前記各部材を分解した図を示す。本実施形態のショーツ６００は、前身頃６０１、後身頃６０２および介在布部材６０３を含む。介在布部材６０３は、マチ部６０３Ａと、後裾周り形成部６０３Ｂとを含む。さらに、本実施形態のショーツ６００は、後裾周り形成部６０３Ｂと後身頃６０２との間に配置される、側部形成部６０６を有する。図７（ａ）における斜線部は、各部材の重なり部を示す。
【００４１】
本実施形態において、後裾周り形成部６０３Ｂの左右の前側の外周部（ｃ）は、直線状に形成されている。このように、本実施形態では、後裾周り形成部６０３Ｂの外縁を曲線状にしなくてもよいため、例えば、所定の幅を有するレーステープ、ストレッチレース等をそのまま使用できるなど、後裾周り形成部６０３Ｂに使用できる素材のバリエーションが広がる。本実施形態において、後裾周り形成部６０３Ｂは、レース素材で形成することが好ましい。これにより、ショーツ６００のデザインを、より繊細で美しくすることができる。
【００４２】
図７（ｃ）に、マチ部６０３Ａと後裾周り形成部６０３Ｂとが連結した状態のパターンの図を示す。図７（ｃ）に示すように、パターン図として水平に配置した場合において、後中心線Ｈに対する垂線を第１の線Ｊとし、後裾周り形成部６０３Ｂの外周部（ｃ）の直線の延長線を第２の線Ｋとする。そして、第１の線Ｊを基準（０度）として、第１の線Ｊから後側（図中の矢印αの方向）を正の角度、第１の線Ｊから前側（図中の矢印βの方向）を負の角度とした場合、第１の線Ｊと第２の線Ｋとがなす角度θは、３０度以下であることが好ましく、より好ましくは２５度以下、さらに好ましくは２０度以下である。本実施形態においては、前記角度θは、１０度である。このような角度にすることにより、後裾周り形成部がマチ部の後端部から左右方向に伸び、前述のとおり、従来のショーツより着用者の臀部の形に近い立体を構成するパターンにすることができるため、好ましい。また、本実施形態において、後裾周り形成部６０３Ｂの前側端点Ｚと、前身頃６０１の後側幅方向両側外周部（ａ）の前側端点Ｅとの距離γは、標準的なサイズである場合には、約２３ｃｍである。ただし、前記角度θと前記距離γとの対応は、上記に限られず、例えば、サイズによって異なる。
【００４３】
また、本実施形態は、側部形成部６０６を有し、さらに後身頃６０２が二つの部材で形成されていることから、構成部材が前記他の実施形態よりも多い。このため、本実施形態では、各部材を組み立てることにより、裾部分の着くずれを防止するとともに、ショーツをより立体的なシルエットに形成することができる。図７（ｂ）に示すように、本実施形態において、後身頃６０２が互いに固着される辺同士は、互いに凸状となっている。また、後身頃６０２と側部形成部６０６とが互いに固着される辺同士も、互いに凸状となっている。このように、互いに対向する、凸状となるもの同士の縁部同士を固着することによって形成された立体形状形成部によって、肌側と反対側へ立体的な膨らみを持たせている。また、後裾周り形成部６０３Ｂの左右の後側外周部（側部形成部６０６と固着される辺）は直線状であるのに対し、側部形成部６０６の後裾周り形成部６０３Ｂと固着される辺のうち、マチ部６０３Ａ側端部は、凸状にカーブしている。このように、ここでは、直線状と凸状の縁部同士を固着することによって形成された立体形状形成部によって、肌側と反対側へ立体的な膨らみを持たせている。本実施形態では、後裾周り形成部６０３Ｂよりも後側に、前記立体形状形成部を複数箇所有するため、着用時における臀部を包む部分が立体的で美しいシルエットとなるショーツを作製することが可能である。なお、本実施形態においては、前記立体形状形成部は、複数の部材の縁部同士を固着する態様となっているが、本発明はこれに限られず、一枚布の複数箇所にダーツをとって立体形状を形成する態様であってもよい。また、一枚布に切り込みを複数入れ、切り込みの縁部同士を固着する態様であってもよい。
【００４４】
図８（ａ）および図８（ｂ）に、前記第６の実施形態の変形例であるショーツ７００を示す。図８（ａ）は、パターンの図、図８（ｂ）は、各部材を分解した図である。本例では、後裾周り形成部６０３Ｂに該当する部分と、側部形成部６０６に該当する部分とが、一つの部材で形成されている。また、後裾周り形成部６０３Ｂと後身頃６０２とが重なる部分がない。その他は、前記第６の実施形態と同様である。このように、後裾周り形成部６０３Ｂと側部形成部６０６とを一つの部材とすることにより、固着工程を減らすことができるため、作業効率上便宜である。
【００４５】
（第７の実施形態）
図９（ａ）に、本発明の第７の実施形態に係るショーツ８００のパターンの図を示す。本実施形態のショーツ８００は、前身頃８０１、後身頃８０２および介在布部材８０３を含む。介在布部材８０３は、マチ部８０３Ａと、後裾周り形成部８０３Ｂとを含む。
【００４６】
本実施形態において、後裾周り形成部８０３Ｂは、ヘム素材で形成されている。ヘム素材を使用する場合、端始末が不要となる一方、端部分が直線状になるため、後裾周り形成部８０３Ｂの左右の前側の外周部（ｃ）は、直線状に形成されている。また、本実施形態においても、前記第６の実施形態と同様に、前記角度θに該当する箇所の角度は、後側方向３０度以下となっている。なお、本実施形態において、後裾周り形成部８０３Ｂ以外の部材に使用される素材は、特に制限されない。
【００４７】
また、図９（ｂ）に、前記第７の実施形態の変形例であるショーツ９００のパターンの図を示す。本例では、後裾周り形成部９０３Ｂと後身頃９０２とが、左右それぞれにおいて、一つの部材で形成されている。その他は、前記第７の実施形態と同様である。
【００４８】
このように、本発明において、後裾周り形成部にはヘム素材を使用することができ、端始末を不要とすることができる。端始末が不要となると、縫製工程が減るため作業効率上便宜であるとともに、端始末の縫着線が肌にあたらず、さらに着心地が良くなるため、好ましい。また、端始末の縫着線がアウターにひびかないため、きれいなシルエットをつくることができる。
【００４９】
（第８の実施形態）
図１０（ａ）に、本発明の第８の実施形態に係るショーツ１０００のパターンの図を示す。本実施形態のショーツ１０００は、前身頃１００１、後身頃１００２および介在布部材１００３を含む。介在布部材１００３は、マチ部１００３Ａと、後裾周り形成部１００３Ｂとを含む。また、マチ部１００３Ａの肌側に配置される裏マチ部１００４を含む。
【００５０】
本実施形態において、ショーツ１０００は、フリーカット素材で形成されている。そして、前身頃１００１の後側幅方向両側外周部（ａ）と、マチ部１００３Ａの幅方向両側外周部（ｂ）と、後裾周り形成部１００３Ｂの左右の前側の外周部（ｃ）とにより形成される着用時における裾周りは、波線状に形成されている。その他は、前記第１の実施形態と同様である。
【００５１】
また、図１０（ｂ）に示すように、パターン図として水平に配置した場合において、後裾周り形成部１００３Ｂの左右の前側外周部（ｃ）の最も後側に位置する点Ｘを通る後中心線Ｈに対する垂線を第１の線Ｊとし、第１の線Ｊと後中心線Ｈとの交点Ｙと、後裾周り形成部３０３Ｂの前側端点Ｚとを結ぶ線を第２の線Ｋとする。本実施形態において、前記「最も後側に位置する点」とは、前記外周部（ｃ）の波線上の輪郭線のうち最も後身頃側に位置する点をいう。そして、第１の線Ｊを基準（０度）として、第１の線Ｊから後側（図中の矢印αの方向）を正の角度、第１の線Ｊから前側（図中の矢印βの方向）を負の角度とした場合、第１の線Ｊと第２の線Ｋとがなす角度θは、一例として−（マイナス）１５度に設定されている。
【００５２】
このように、本発明において、後裾周り形成部の左右の前側の外周部（ｃ）の形状は、凹曲線状に形成されていれば、前記外周部（ｃ）の輪郭線自体は波線状であってもよい。また、例えば、上記輪郭線の一部が、波線状や凸状に形成されていてもよい。フリーカット素材を用いて着用時の裾周りを波線状にすることにより、ショーツのシルエットがアウターにひびくのを防ぐことができるため、好ましい。また、裾周り部分の臀部への食い込みを軽減することも考えられる。
【００５３】
（第９の実施形態）
図１１に、本発明の第９の実施形態に係るショーツ１１００のパターンの図を示す。本実施形態のショーツ１１００は、前身頃１１０１、後身頃１１０２および介在布部材１１０３を含む。介在布部材１１０３は、マチ部１１０３Ａと、後裾周り形成部１１０３Ｂとを含む。
【００５４】
本実施形態において、後裾周り形成部１１０３Ｂの左右の前側の外周部（ｃ）は、直線状に形成されている。また、本実施形態においても、前記第６の実施形態と同様に、前記角度θに該当する箇所の角度は、後側方向３０度以下となっている。そして、本実施形態において、前身頃１１０１の後側幅方向両側外周部（ａ）の前側端点Ｅ周辺部と、後裾周り形成部１１０３Ｂの前側端点Ｚ周辺部とには、それぞれ、ダーツ部Ｄ（図中に二点鎖線で囲んで示す部分）が設けられている。ここで、「周辺部」とは、前側端点Ｅ、前側端点Ｚそれぞれを含む近傍部分をいう。また、本実施形態において、後裾周り形成部１１０３Ｂの左右の後側の外周部Ｓは、凹状に形成されており、後身頃１１０２は、左右が別部材で形成されている。
【００５５】
本実施形態のようにダーツ部Ｄを設けることによって、図１１に示すパターンを互いに固着すると、ショーツ１１００の前側の裾周りに膨らみを持たせることができる。これにより、身体の前側の足の付け根部分にショーツ１１００の裾周りが密着せず、足を動かしやすくなる。なお、本発明では、前記第１〜第８の実施形態においても、本実施形態のように、前身頃の後側幅方向両側外周部の前側端点周辺部と、後裾周り形成部の前側端点周辺部とに、それぞれダーツ部を設けてもよい。
【００５６】
（第１０の実施形態）
図１２（ａ）に、本発明の第１０の実施形態に係るショーツ１２００のパターンの図を示す。本実施形態のショーツ１２００は、前身頃１２０１、後身頃１２０２および介在布部材１２０３を含む。介在布部材１２０３は、マチ部１２０３Ａと、後裾周り形成部１２０３Ｂとを含む。
【００５７】
本実施形態において、後裾周り形成部１２０３Ｂの左右の前側の外周部（ｃ）は直線状に形成されている。また、本実施形態においても、前記第６の実施形態と同様に、前記角度θに該当する箇所の角度は、後側方向３０度以下となっている。そして、本実施形態では、前身頃１２０１の後側幅方向両側外周部（ａ）の前側端点Ｅと、後裾周り形成部１２０３Ｂの前側端点Ｚとが、なだらかな角部となっている。なお、上記の角度θに該当する箇所とは、上記の外周部（ｃ）のうち、前側端点Ｚ近傍の角部を除いた直線状を成す後裾周り形成部１２０３Ｂの延長線を第６の実施形態における第２の線Ｋとして見た場合の角度を意味している。
【００５８】
図１２（ａ）に示すパターンを互いに固着すると、図１２（ｂ）に示す本実施形態に係るショーツ１２００が形成される。図１２（ｂ）は、ショーツ１２００の正面図である。図１２（ｂ）に示すように、本実施形態のパターンとすることにより、ショーツ１２００の前側の裾周りに割れ部Ｆ（図中に二点鎖線で囲んで示す部分）を形成することができ、足を動かしやすくなる。なお、本発明では、前記第１〜第８の実施形態においても、本実施形態のように、前身頃の後側幅方向両側外周部の前側端点と、後裾周り形成部の前側端点とをなだらかな角部となるように形成し、前側の裾周りに足を動かしやすくするための割れ部を形成してもよい。
【００５９】
以上、実施の形態の具体例として、ショーツをあげて本発明を説明したが、本発明のボトム衣類は、これらの具体例で記載されたもののみに限定されるものではなく、種々の態様が可能である。例えば、上記の実施形態のような衣類以外にも、ガードル、ボディスーツ等のファンデーション衣類や、水着、レオタード、スポーツ衣類、アウターなど、その他各種の衣類に適用できる。また、本発明は、デイリー用のショーツのみではなく、例えば、生理用ショーツ、軽失禁防止用ショーツにも適用できる。
【符号の説明】
【００６０】
１００、２００、３００、４００、５００、６００、７００、８００、９００、１０００、１１００、１２００  ボトム衣類（ショーツ）
１０１、２０１、３０１、４０１、６０１、８０１、１００１、１１０１、１２０１  前身頃
１０２、２０２、３０２、４０２、６０２、８０２、９０２、１００２、１１０２、１２０２  後身頃
１０３、２０３、３０３、４０３、６０３、８０３、９０３、１００３、１１０３、１２０３  介在布部材
１０３Ａ、２０３Ａ、３０３Ａ、４０３Ａ、６０３Ａ、８０３Ａ、１００３Ａ、１１０３Ａ、１２０３Ａ、１０３Ａ’  マチ部
１０３Ｂ、２０３Ｂ、３０３Ｂ、４０３Ｂ、６０３Ｂ、８０３Ｂ、９０３Ｂ、１００３Ｂ、１１０３Ｂ、１２０３Ｂ、１０３Ｂ’  後裾周り形成部
１０４、２０４、４０４、１００４  裏マチ部
５０５  レース部材
６０６  側部形成部
（ａ）  前身頃の後側幅方向両側外周部
（ｂ）  マチ部の幅方向両側外周部
（ｃ）  後裾周り形成部の左右の前側の外周部
Ｓ  後裾周り形成部の左右の後側の外周部
Ｔ  後身頃の辺
Ｌ  後裾周り形成部の左右端部に位置する前身頃との固着部
Ｌ’従来のショーツの前身頃との固着箇所
Ｍ  前身頃の前側幅方向両側辺
Ｑ  ヒップトップ周辺
Ｒ  凸部
Ｐ  前身頃の上辺
Ｗ  後身頃の上辺
Ｊ  第１の線
Ｋ  第２の線
Ｈ  後中心線
Ｘ  後裾周り形成部の外周部（ｃ）の最も後側に位置する点
Ｙ  第１の線と後中心線との交点
Ｚ  後裾周り形成部の前側端点
Ｅ  前身頃の外周部（ａ）の前側端点
【図１】
2013168636.tif 000003
【図２】
2013168636.tif 000004
【図３】
2013168636.tif 000005
【図４】
2013168636.tif 000006
【図５】
2013168636.tif 000007
【図６】
2013168636.tif 000008
【図７】
2013168636.tif 000009
【図８】
2013168636.tif 000010
【図９】
2013168636.tif 000011
【図１０】
2013168636.tif 000012
【図１１】
2013168636.tif 000013
【図１２】
2013168636.tif 000014
【図１３】
2013168636.tif 000015
【図１４】
2013168636.tif 000016
【国際調査報告】
2013168636.tif 000017
2013168636.tif 000018
2013168636.tif 000019
2013168636.tif 000020